(57)【要約】【課題】本体枠と前面枠との施錠の不正な解除を確実に防止する。【解決手段】本体枠３の施錠装置取付部３ａには、施錠孔封鎖装置５５が着脱自在に取り付けられる。施錠孔封鎖装置５５は、本体部５６、封鎖板５７、ソレノイド５８、データリーダ５９から構成される。本体部５６には、鍵５０を施錠装置３０のキーシリンダー３２まで通過可能とする施錠孔５６ａが形成される。データリーダ５９は、施錠孔５６ａに挿入された鍵５０に内蔵されたＩＣチップ５１に記憶された施錠データを読み取る。ホールコンピュータ２５内の施錠データ判定部６６は、データリーダ５９から送られてきた施錠データと、ＲＯＭ６５内の施錠開放データとを照合する。一致が判定されたときには、ホールコンピュータ２５は、ソレノイド５８を介して、鍵５０が施錠孔５６ａを通過可能になる位置まで封鎖板５７を上方に移動させる。【選択図】        図９
2005006775.tif 000002
【特許請求の範囲】
【請求項１】
遊技領域が形成された遊技盤と、前記遊技領域を視認可能に形成された扉部材と、前記遊技盤が装着されるとともに扉部材が開閉自在に組み付けられる本体基部と、前記本体基部に取り付けられ、施錠媒体を用いて前記扉部材と本体基部との施錠を行う施錠装置とを備えた遊技機に取り付けられる遊技機の施錠孔封鎖装置であって、
前記施錠媒体を施錠装置まで通過可能とする施錠孔が設けられた施錠孔封鎖本体部材と、
前記施錠媒体が施錠孔を通過可能になる位置と通過不能になる位置とで移動可能で、前記施錠媒体により扉部材と本体基部とが施錠されているときには施錠媒体が施錠孔を通過不能になる位置に配置される封鎖部材と、
前記封鎖部材を駆動させる封鎖駆動部とを備えたことを特徴とする遊技機の施錠孔封鎖装置。
【請求項２】
前記遊技機に着脱自在に取り付けられることを特徴とする請求項１記載の遊技機の施錠孔封鎖装置。
【請求項３】
前記封鎖駆動部は、遊技機が設置される遊技場に設けられ、遊技機を制御する中央制御手段により駆動制御されることを特徴とする請求項１または２記載の遊技機の施錠孔封鎖装置。
【請求項４】
前記施錠孔封鎖本体部材に取り付けられ、前記施錠媒体に取り付けられるデータ記憶媒体に記憶された施錠データを読み取る施錠データ読み取り手段を備え、
前記中央制御手段に設けられ、前記施錠データ読み取り手段で読み取った施錠データを内蔵メモリに予め記録された施錠開放データと照合し、一致するか否かを判定する施錠データ判定手段により一致が判定されたときに、前記中央制御手段は封鎖駆動部を駆動制御し、前記施錠媒体が施錠孔を通過可能になる位置まで封鎖部材を移動させることを特徴とする請求項３記載の遊技機の施錠孔封鎖装置。
【請求項５】
遊技領域が形成された遊技盤と、前記遊技領域を視認可能に形成された扉部材と、前記遊技盤が装着されるとともに扉部材が開閉自在に組み付けられる本体基部と、前記本体基部に取り付けられ、施錠媒体を用いて前記扉部材と本体基部との施錠を行う施錠装置とを備えた遊技機に取り付けられる遊技機の施錠孔封鎖装置であって、
前記施錠媒体を施錠装置まで通過可能とする施錠孔が設けられた施錠孔封鎖本体部材と、
前記施錠媒体が施錠孔を通過可能になる位置と通過不能になる位置とで移動可能で、前記施錠媒体により扉部材と本体基部とが施錠されているときには施錠媒体が施錠孔を通過不能になる位置に配置される封鎖部材と、
前記封鎖部材を駆動させる封鎖駆動部と、
前記施錠媒体に取り付けられるデータ記憶媒体に記憶された施錠データを読み取る施錠データ読み取り手段と、
前記施錠データ読み取り手段で読み取った施錠データを内蔵メモリに予め記録された施錠開放データと照合し、一致するか否かを判定する施錠データ判定手段とを備え、
前記施錠データ判定手段により一致が判定されたときに、前記封鎖駆動部を駆動制御して、前記施錠媒体が施錠孔を通過可能になる位置まで封鎖部材を移動させることを特徴とする遊技機の施錠孔封鎖装置。
【請求項６】
前記遊技機に着脱自在に取り付けられることを特徴とする請求項５記載の遊技機の施錠孔封鎖装置。
【発明の詳細な説明】
【０００１】
【発明の属する技術分野】
本発明は、パチンコ店等の遊技場に設置して使用されるパチンコ機等の遊技機に取り付ける遊技機の施錠孔封鎖装置に関するものである。
【０００２】
【従来の技術】
パチンコ店などの遊技場に設置して使用されるパチンコ機等の弾球遊技機は、パチンコ球等の遊技媒体に一定の価値が与えられて、ゲームを行って獲得した遊技媒体を種々の景品に交換することができる。弾球遊技機は、遊技盤や遊技盤を装着させる本体基部となる本体枠に、遊技媒体の供給に基づいて作動させる各種駆動装置及びこれら駆動装置を制御させるために対応させた制御回路装置を備えており、遊技者が遊技を行う際にこれらを適宜作動させることによって遊技を興趣に溢れたものとしている。また、近年では、予め定められた入賞口への入賞等の所定条件の達成に基づいて所定の識別情報（図柄）を変動表示し得るリール表示装置または液晶画像表示装置等の図柄可変表示手段を内蔵し、所定条件を満たしたときに識別情報を変動させた後に停止表示させるように図柄可変表示手段を作動させるものが主流となっている。
【０００３】
一般に本体枠には球発射装置や賞球受け皿が設けられ、この本体枠に遊技盤が組み付けられる。遊技盤には、各種入賞口や入賞球装置、障害釘などが設けられた遊技領域があり、球発射装置で打ち出されたパチンコ球をこの遊技領域で流下させることによってゲームが行われる。遊技盤の背後には、入賞口やアウト穴に入ったパチンコ球を所定の経路で回収するための球通路板や、入賞球装置として多用されている液晶パネルを駆動するための回路基板などを含む裏機構ユニットが設けられている。また、遊技盤の遊技領域は、ガラス板や透明な強化プラスチックプレート製の透明板で覆われ、遊技の過程をプレイヤが透視できるようになっている。透明板は扉枠と称される扉部材で保持され、この扉枠は、本体枠に回動自在に組み付けられている。扉枠は、通常、本体枠に施錠装置により施錠されており、鍵等の施錠媒体によりこの施錠を解除することで、扉枠が回動自在となり、遊技盤面上での遊技媒体の詰まり等のトラブルに簡単に対処できるようになる。
【０００４】
【発明が解決しようとする課題】
しかしながら、遊技場に設置される遊技機の数量は多く、本体枠と扉枠との施錠を解く鍵を全ての遊技機に対して個別に用意することは、遊技場の作業者の作業性が悪化することになるため、設置する遊技機のメーカー毎あるいは島毎に対応した万能鍵が用いられており、この万能鍵を不正にコピーされると、多くの遊技機の本体枠と扉枠との施錠を解除することができるため、本体枠と扉枠との施錠を解除し、各種入賞口に遊技媒体を入賞させる等の不正行為が行われてしまうことがあった。
【０００５】
本発明は、上記従来技術の問題を解決するためになされたものであり、本体枠と扉枠との施錠の不正な解除を確実に防止することができる遊技機の施錠孔封鎖装置を提供することを目的とする。
【０００６】
【課題を解決するための手段】
上記目的を達成するために、本発明の遊技機の施錠孔封鎖装置は、遊技領域が形成された遊技盤と、前記遊技領域を視認可能に形成された扉部材と、前記遊技盤が装着されるとともに扉部材が開閉自在に組み付けられる本体基部と、前記本体基部に取り付けられ、施錠媒体を用いて前記扉部材と本体基部との施錠を行う施錠装置とを備えた遊技機に取り付けられる遊技機の施錠孔封鎖装置であって、前記施錠媒体を施錠装置まで通過可能とする施錠孔が設けられた施錠孔封鎖本体部材と、前記施錠媒体が施錠孔を通過可能になる位置と通過不能になる位置とで移動可能で、前記施錠媒体により扉部材と本体基部とが施錠されているときには施錠媒体が施錠孔を通過不能になる位置に配置される封鎖部材と、前記封鎖部材を駆動させる封鎖駆動部とを備えたことを特徴とする。なお、前記扉部材に前記施錠媒体を施錠装置まで通過可能とする開口部を設け、遊技機の施錠孔封鎖装置を前記施錠装置と開口部との間に配設することが好ましい。
【０００７】
また、本発明の遊技機の施錠孔封鎖装置は、前記遊技機に着脱自在に取り付けられることが好ましい。さらに、前記封鎖駆動部は、遊技機が設置される遊技場に設けられ、遊技機を制御する中央制御手段により駆動制御されることが好ましい。また、前記施錠孔封鎖本体部材に取り付けられ、前記施錠媒体に取り付けられるデータ記憶媒体に記憶された施錠データを読み取る施錠データ読み取り手段を備え、前記中央制御手段に設けられ、前記施錠データ読み取り手段で読み取った施錠データを内蔵メモリに予め記録された施錠開放データと照合し、一致するか否かを判定する施錠データ判定手段により一致が判定されたときに、前記中央制御手段は封鎖駆動部を駆動制御し、前記施錠媒体が施錠孔を通過可能になる位置まで封鎖部材を移動させることが好ましい。
【０００８】
さらに、遊技領域が形成された遊技盤と、前記遊技領域を視認可能に形成された扉部材と、前記遊技盤が装着されるとともに扉部材が開閉自在に組み付けられる本体基部と、前記本体基部に取り付けられ、施錠媒体を用いて前記扉部材と本体基部との施錠を行う施錠装置とを備えた遊技機に取り付けられる遊技機の施錠孔封鎖装置であって、前記施錠媒体を施錠装置まで通過可能とする施錠孔が設けられた施錠孔封鎖本体部材と、前記施錠媒体が施錠孔を通過可能になる位置と通過不能になる位置とで移動可能で、前記施錠媒体により扉部材と本体基部とが施錠されているときには施錠媒体が施錠孔を通過不能になる位置に配置される封鎖部材と、前記封鎖部材を駆動させる封鎖駆動部と、前記施錠媒体に取り付けられるデータ記憶媒体に記憶された施錠データを読み取る施錠データ読み取り手段と、前記施錠データ読み取り手段で読み取った施錠データを内蔵メモリに予め記録された施錠開放データと照合し、一致するか否かを判定する施錠データ判定手段とを備え、前記施錠データ判定手段により一致が判定されたときに、前記封鎖駆動部を駆動制御して、前記施錠媒体が施錠孔を通過可能になる位置まで封鎖部材を移動させることを特徴とする。
【０００９】
【発明の実施の形態】
図１に本発明の遊技機の施錠孔封鎖装置を実施した遊技機の１実施例であるパチンコ機の外観を示す。パチンコ機２の本体基部となる本体枠３の内部には遊技盤４が配設されており、遊技盤４の前面には扉部材としての扉枠５が開閉自在に設けられている。扉枠５の下方には、打球供給用の供給皿６及び遊技球の打ち出し強さを調節する操作ハンドル７が設けられている。遊技盤４の遊技領域４ａの略中央には、開口４ｂが設けられ、この開口４ｂには、予め定められた入賞口へ遊技球を入賞させるなどの所定入賞条件に基づいて遊技中に様々な図柄やキャラクタなどを液晶画面に所定時間内において変動表示させた後に停止表示させる図柄可変表示装置８が配置され、その周りには始動入賞口１０、通常入賞口１１、アタッカ１２、アウト口１３が設けられている。遊技者は、供給皿６に遊技球を投入して該遊技球を発射装置へと導き、操作ハンドル７を回動操作して、遊技盤４上に遊技球を打ち出す。打ち出された遊技球は遊技領域４ａの上方から流下する途中で各入賞口１０〜１２のいずれかに入るか、あるいはアウト口１３から回収される。なお、パチンコ機２の遊技領域４ａに設けられている複数の釘、風車などの構造物は公知であるので説明は省略する。
【００１０】
図２に示すように、扉枠５は、軸部Ｊを中心に本体枠３の前面に開閉自在に取り付けられている。扉枠５の内側には、可視可能なガラス１５が着脱自在で交換可能に取り付けられている。扉枠５の右側端部の略中央には、本体枠３と扉枠５との施錠を行う鍵を挿入するための鍵挿入孔５ａが設けられている。本体枠３の施錠装置取付部３ａには、後述する施錠孔封鎖装置５５が着脱自在に取り付けられる。
【００１１】
図３にパチンコ機２の背面側の外観を示す。パチンコ機２の本体枠３には、遊技を行う際に図柄可変表示装置８等の各種装置を駆動制御する主制御回路装置２０の他に、主制御回路装置２０によって生成される情報に応じた出力態様（例えば、発光または発音）を行う副制御回路装置２１、球発射装置２２、球払出装置２３等がそれぞれ組み付けられている。これら制御回路装置及び装置は、図示しないケーブル等を介して接続されている。主制御回路装置２０は、パチンコ機２が設置される遊技場全体を制御する中央制御手段としてのホールコンピュータ２５（図８参照）に接続されている。本体枠３の内部には、施錠装置３０が組み込まれている。
【００１２】
図４に示すように、施錠装置３０は、連結板３１、キーシリンダー３２、保持板３３から構成される。なお、保持板３３には、連結板３１、キーシリンダー３２がそれぞれ所定位置に組み付けられる。保持板３３は、本体枠３内部の所定部材に取り付けられている。
【００１３】
図５に示すように、連結板３１には、上下それぞれにスライド孔３１ａが形成されている。ピン４１を、スライド孔３１ａを介して保持板３３に形成されたピン止め孔３３ａに固定することにより、連結板３１は保持板３３にスライド自在に取り付けられる。連結板３１には、上下それぞれに先端がテーパ状の係止爪３１ｂが形成されている。係止爪３１ｂは、その先端部が本体枠３の施錠装置取付部３ａに形成された係止孔３ｂから露呈され、扉枠５の後面の上下それぞれに設けられたブラケット４３と係合する。これにより、本体枠３と扉枠５とが施錠される。また、連結板３１には、取付片３１ｃが形成されており、この取付片３１ｃにコイルバネ４５の一端が取り付けられる。保持板３３には、取付片３３ｂが形成されており、コイルバネ４５の他端が取り付けられる。このコイルバネ４５により、連結板３１は係合位置（図中Ａ方向）に向けて付勢されている。
【００１４】
連結板３１の略中央右端部には、後述するキーシリンダー３２の後面に設けられた連結部材４７に形成された連結片４７ａ，４７ｂの間に入り込み、この連結部材４７の回転により連結板３１を上方、又は下方にスライドさせるための連結片３１ｄが設けられる。
【００１５】
キーシリンダー３２は、保持板３３の略中央部に取り付けられ、その前面が本体枠３の施錠装置取付部３ａに形成されたキーシリンダー孔３ｃから露呈される（図２参照）。保持板３３には、略中央部にキーシリンダー３２取り付け用のキーシリンダー取付部３３ｃが２個設けられている。このキーシリンダー取付部３３ｃには、キーシリンダー３２取り付け用のビス締め孔３３ｄが形成されており、ビス４９によりキーシリンダー３２の上下に設けられた取付孔３２ａとビス締め孔３３ｄとをビス締め固定することにより、キーシリンダー３２が保持板３３に取り付けられる。
【００１６】
図６に示すように、キーシリンダー３２の後面には、このキーシリンダー３２に挿入された鍵５０の操作に連動して回転する回転軸３２ｂが設けられる。この回転軸３２ｂには連結部材４７がカシメ締めされている。連結部材４７は、所定のピッチ間隔をおいて２箇所に連結片４７ａ，４７ｂが形成され、これら連結片４７ａ，４７ｂの間には、連結板３１の連結片３１ｄが入り込む。これにより、鍵５０を時計方向（図中Ｂ方向）に回転させた場合には、連結片４７ｂが連結片３１ｄを上方（図中Ｃ方向）に押圧し、鍵５０を反時計方向（図中Ｄ方向）に回転させた場合には、連結片４７ａが連結片３１ｄを下方（図中Ｅ方向）に押圧する。これにより、鍵５０の回転操作により、連結板３１が上方、又は下方にスライドすることができる。図７に示すように、鍵５０を反時計方向（図中Ｄ方向）に回転させると、連結板３１が下方（図中Ｅ方向）にスライドされ、係止爪３１ｂと扉枠５の後面に設けられたブラケット４３との係合が解かれ、本体枠３と扉枠５との施錠を解除することができる。
【００１７】
鍵５０の先端部にはＩＣチップ５１（図４参照）が内蔵されており、このＩＣチップ５１には、予め暗証番号等の固有の施錠データが記憶されている。
【００１８】
本体枠３の施錠装置取付部３ａには、施錠孔封鎖装置５５が着脱自在に取り付けられる（図２参照）。図８及び図９に示すように、施錠孔封鎖装置５５は、施錠孔封鎖本体部材としての本体部５６と、封鎖部材としての封鎖板５７と、封鎖板５７を駆動させる封鎖駆動部としてのソレノイド５８と、データリーダ５９とから構成される。データリーダ５９は、封鎖板５７よりも扉枠５側に設けられている。本体部５６には、鍵５０を施錠装置３０のキーシリンダー３２まで通過可能とする施錠孔５６ａが形成されている。データリーダ５９は、施錠孔５６ａに挿入された鍵５０に内蔵されたＩＣチップ５１内の施錠データを読み取る。
【００１９】
本体枠３の施錠装置取付部３ａには、施錠孔封鎖装置５５を着脱自在に取り付けるための取付開口３ｃが設けられるとともに、主制御回路装置２０に接続されている接続用コネクタ６１が取り付けられている。本体部５６には、取付開口３ｃに挿入し、施錠孔封鎖装置５５を施錠装置取付部３ａに取り付けるための挿入爪５６ｂが形成されている。また、本体部５６には、接続用基板６２が取り付けられており、この接続用基板６２には、接続用コネクタ６１に接続するための接続用プラグ６３が設けられている。接続用基板６２には、ソレノイド５８とデータリーダ５９とが、それぞれ図示しない接続ケーブル等を介して接続されている。挿入爪５６ｂを取付開口３ｃに挿入することにより、施錠孔封鎖装置５５は施錠装置取付部３ａに着脱自在に取り付けられ、接続用プラグ６３を接続用コネクタ６１に接続することにより、ソレノイド５８とデータリーダ５９とは、主制御回路装置２０を介してホールコンピュータ２５に接続される。データリーダ５９で読み取った鍵５０の施錠データは、ホールコンピュータ２５に送られる。
【００２０】
封鎖板５７は、ソレノイド５８の駆動鉄芯５８ａに設けられる当接部５８ｂに固着されている。本体部５６には、ソレノイド５８の駆動鉄芯５８ａ及び当接部５８ｂを移動可能にする移動用開口５６ｃが形成されており、移動可能な駆動鉄芯５８ａはコイルバネ６４により、図中下方向に付勢されている。本体枠３と扉枠５とが施錠されているときには、図９に示すように、コイルバネ６４の付勢により駆動鉄芯５８ａがボビン５８ｃから突出し、封鎖板５７が下方に移動され、鍵５０が施錠孔５６ａを通過不能になっている。
【００２１】
ホールコンピュータ２５内には、施錠開放データが予め記憶されているＲＯＭ（ｒｅａｄ  ｏｎｌｙ  ｍｅｍｏｒｙ）６５と、施錠データ判定部６６とが設けられている。施錠データ判定部６６は、データリーダ５９から送られてきた鍵５０の施錠データと、ＲＯＭ６５内の施錠開放データとを照合する。そして、一致が判定されたときには、図１０に示すように、ホールコンピュータ２５は、主制御回路装置２０、接続用コネクタ６１、接続用プラグ６３を介してソレノイド５８への給電を行う。ソレノイド５８への給電が行われると、駆動鉄芯５８ａがボビン５８ｃの内部（図中上方向）へと移動し、封鎖板５７が上方にスライドされる。このように、封鎖板５７は、鍵５０が施錠孔５６ａを通過可能になる位置（封鎖板５７が上方に移動された状態）と通過不能になる位置（封鎖板５７が下方に移動された状態）とで移動される。なお、封鎖板５７の移動範囲としては、鍵５０が施錠孔５６ａを通過可能になるから通過不能になる位置まで移動できればよく、例えば、鍵５０が施錠孔５６ａを通過不能にするときには、施錠孔５６ａの上側半円だけを塞ぐ位置まで移動するようにしてもよい。
【００２２】
上記のように構成されたパチンコ機の作用について説明する。遊技盤４面上で遊技球が詰まるトラブルが発生した場合等には、本体枠３と扉枠５との施錠を解除する必要がある。この場合、遊技場の作業者は、鍵５０を用いて本体枠３と扉枠５との施錠を解除する。先ず、鍵５０を扉枠５に設けられた鍵挿入孔５ａから挿入する。鍵挿入孔５ａから挿入された鍵５０は、施錠孔封鎖装置５５の本体部５６に形成された施錠孔５６ａに挿入され、鍵５０に内蔵されたＩＣチップ５１がデータリーダ５９の位置まで到達すると、データリーダ５９は、ＩＣチップ５１に記憶されている施錠データを読み取り、この読み取った施錠データは、ホールコンピュータ２５に送られる。
【００２３】
本体枠３と扉枠５とが施錠されているときには、封鎖板５７は、鍵５０が施錠孔５６ａ通過不能になる位置（封鎖板５７が下方に移動された状態）に配置されており、鍵５０をキーシリンダー３２に挿入することができない。ホールコンピュータ２５内の施錠データ判定部６６は、データリーダ５９から送られてきた施錠データと、ＲＯＭ６５内の施錠開放データとを照合する。そして、一致が判定されたときには、ホールコンピュータ２５は、ソレノイド５８を介して、鍵５０が施錠孔５６ａを通過可能になる位置まで封鎖板５７を上方に移動させる。これにより、鍵５０をキーシリンダー３２に挿入することができ、本体枠３と扉枠５との施錠を解除することができるようになる。なお、施錠データ判定部６６で、データリーダ５９から送られてきた施錠データと、ＲＯＭ６５に予め記憶されている施錠開放データとの一致が判定されなかったときには、封鎖板５７を移動させずに、鍵５０が施錠孔５６ａを通過不能な状態を保つ。また、本体枠３と扉枠５との施錠が解かれた後に、再度施錠を行った場合には、コイルバネ６４の付勢により駆動鉄芯５８ａがボビン５８ｃから突出し、封鎖板５７が下方に移動され、鍵５０が施錠孔５６ａを通過不能な状態となる。
【００２４】
このように、鍵５０のＩＣチップ５１に記憶されている施錠データを読み取り、ＲＯＭ６５内に予め記憶されている施錠開放データとを照合し、一致が判定されたときのみ、鍵５０が施錠孔５６ａを通過可能になる位置まで封鎖板５７を移動させ、一致が判定されなかったときには、封鎖板５７を移動させずに、鍵５０が施錠孔５６ａを通過不能な状態を保つから、不正に鍵５０をコピーされても、本体枠３と扉枠５との施錠の不正な解除を確実に防止することができる。さらに、施錠孔封鎖装置５５は、本体枠３の施錠装置取付部３ａに着脱自在に取り付けられるから、パチンコ機２を機種替えするときにも、新しいパチンコ機２に付け替えることができ、リサイクル性に優れる。
【００２５】
なお、上記実施形態では、挿入爪５６ｂを取付開口３ｃに挿入することにより、施錠孔封鎖装置５５を着脱自在に施錠装置取付部３ａに取り付けたが、これに限定されることなく、施錠孔封鎖装置５５を着脱自在に施錠装置取付部３ａに取り付けられればよく、例えば、ビスによるビス締め固定や、両面テープにより取り付けるようにしてもよい。
【００２６】
また、上記実施形態では、封鎖駆動部としてソレノイド５８を用い、ソレノイド５８により封鎖板５７を上方及び下方に移動させたが、これに限定されることなく、封鎖板５７を移動させることができるものであればよい。
【００２７】
図１１〜図１３に他の実施形態を示す。上記実施形態のものと同様の構成部材には同一の符号を付し、その詳細な説明を省略する。この実施形態では、パチンコ機７０は、本体枠７２と扉枠７３とを備え、扉枠７３は、軸部Ｊを中心に本体枠７２の前面に開閉自在に取り付けられている。鍵５０を挿入するキーシリンダー３２と本体枠７２の施錠装置取付部７２ａとは、本体枠７２と扉枠７３とを施錠した後にも露呈された状態となる。そのため、扉枠７３には、切欠き７３ａが形成されている。本体枠７２の施錠装置取付部７２ａには、施錠孔封鎖装置７５が着脱自在に取り付けられる。
【００２８】
施錠孔封鎖装置７５は、本体部５６と、封鎖板５７と、ソレノイド５８と、データリーダ５９と、施錠データ判定部７６とから構成される。施錠データ判定部７６内には、施錠開放データが予め記憶されているＲＯＭ７７が設けられている。ソレノイド５８と、データリーダ５９とはそれぞれ施錠データ判定部７６に接続されている。施錠データ判定部７６は、データリーダ５９から送られてきた鍵５０の施錠データと、ＲＯＭ７７内の施錠開放データとを照合する。そして、一致が判定されたときには、ソレノイド５８への給電を行う。ソレノイド５８への給電が行われると、駆動鉄芯５８ａがボビン５８ｃの内部（図中上方向）へと移動し、封鎖板５７が上方にスライドされ、鍵５０をキーシリンダー３２に挿入することができる。
【００２９】
このように、ホールコンピュータ２５でソレノイド５８を駆動制御するのではなく、施錠孔封鎖装置７５内部でソレノイド５８の駆動制御を行ってもよい。この場合には、ホールコンピュータ２５との信号の送受信が不要となるため、大掛かりな設備を挿入することなく、容易にセキュリティーの向上を図ることができるという利点がある。また、鍵５０を挿入するキーシリンダー３２が露呈されたタイプの遊技機７０にも、本発明を実施することができる。
【００３０】
【発明の効果】
以上説明したように、本発明の遊技機の施錠孔封鎖装置によれば、施錠媒体を施錠装置まで通過可能とする施錠孔が設けられた施錠孔封鎖本体部材と、前記施錠媒体が施錠孔を通過可能になる位置と通過不能になる位置とで移動可能で、前記施錠媒体により扉部材と本体基部とが施錠されているときには施錠媒体が施錠孔を通過不能になる位置に配置される封鎖部材と、前記封鎖部材を駆動させる封鎖駆動部とを備えたから、本体基部と枠扉との施錠の不正な解除を確実に防止することができる。さらに、遊技機に着脱自在に取り付けられるから、遊技機を機種替えするときに、新しい遊技機に付け替えることができ、リサイクル性に優れる。また、封鎖駆動部は、遊技機が設置される遊技場に設けられ、遊技機を制御する中央制御手段により駆動制御されるから、より一層確実に本体基部と枠扉との施錠の不正な解除を防止することができる。
【図面の簡単な説明】
【図１】本発明を実施したパチンコ機の外観を示す斜視図である。
【図２】扉枠を開放した状態を示す斜視図である。
【図３】図１に示したパチンコ機の背面側からの外観を示す斜視図である。
【図４】施錠装置を示す斜視図である。
【図５】施錠装置を示す分解斜視図である。
【図６】保持板と連結板との上部構成を示す断面図である。
【図７】キーシリンダに挿入された鍵をＤ方向に回転させた場合の、連結板の係止爪の動作を示す断面図である。
【図８】本体枠と施錠孔封鎖装置との構成を示す断面図である。
【図９】封鎖板により施錠孔が封鎖され、鍵が施錠孔を通過不能な状態を示す断面図である。
【図１０】施錠孔が開放され、鍵が施錠孔を通過可能な状態を示す断面図である。
【図１１】本発明の他の実施形態のパチンコ機及び施錠孔封鎖装置の外観を示す斜視図である。
【図１２】図１１のパチンコ機の扉枠を開放した状態を示す斜視図である。
【図１３】施錠孔封鎖装置を示す断面図である。
【符号の説明】
２，７０  パチンコ機
３，７２  本体枠
３ａ，７２ａ  施錠装置取付部
３ｂ  係止孔
４  遊技盤
５  扉枠
５ａ  鍵挿入孔
２０  主制御回路装置
２５  ホールコンピュータ
３０  施錠装置
５０  鍵
５１  ＩＣチップ
５５，７５  施錠孔封鎖装置
５６  本体部
５６ａ  施錠孔
５７  封鎖板
５８  ソレノイド
５９  データリーダ
６５，７７  ＲＯＭ
６６，７６  施錠データ判定部
【図１】
2005006775.tif 000003
【図２】
2005006775.tif 000004
【図３】
2005006775.tif 000005
【図４】
2005006775.tif 000006
【図５】
2005006775.tif 000007
【図６】
2005006775.tif 000008
【図７】
2005006775.tif 000009
【図８】
2005006775.tif 000010
【図９】
2005006775.tif 000011
【図１０】
2005006775.tif 000012
【図１１】
2005006775.tif 000013
【図１２】
2005006775.tif 000014
【図１３】
2005006775.tif 000015